(57)【要約】【課題】ユーザがくじ付き葉書を作成して利用可能である。【解決手段】くじの抽選番号の第１の記憶手段と、くじの抽選番号を葉書に記録する記録手段と、を有するくじ付き葉書作成システムであり、葉書作成者の連絡先を入力する連絡先入力手段と、連絡先入力手段により入力された連絡先と、葉書作成者用の葉書に対応したくじの抽選番号と、を対応づけて記憶する第２の記憶手段とを有する。また、葉書の被送付者の連絡先を入力する連絡先入力手段と、連絡先入力手段により入力された連絡先と、葉書作成者用の葉書に対応したくじの抽選番号と、を対応づけて記憶する第２の記憶手段とを有する。【選択図】図２
2005186548.tif 000002
【特許請求の範囲】
【請求項１】
くじの抽選番号の第１の記憶手段と、
前記くじの抽選番号を葉書に記録する記録手段と、
を有するくじ付き葉書作成システムであり、
葉書作成者の連絡先を入力する連絡先入力手段と、
前記連絡先入力手段により入力された連絡先と、前記葉書作成者用の葉書に対応したくじの抽選番号と、を対応づけて記憶する第２の記憶手段とを有することを特徴とするくじ付き葉書作成システム。
【請求項２】
前記第２の記憶手段に記憶された当選番号に相当する抽選番号に対応した前記連絡先に、当選したことを示す情報を通知する当選情報通知手段を有することを特徴とする請求項１に記載のくじ付き葉書作成システム。
【請求項３】
くじの抽選番号の第１の記憶手段と、
前記くじの抽選番号を葉書に記録する記録手段と、
を有するくじ付き葉書作成システムであり、
葉書の被送付者の連絡先を入力する連絡先入力手段と、
前記連絡先入力手段により入力された連絡先と、前記葉書作成者用の葉書に対応したくじの抽選番号と、を対応づけて記憶する第２の記憶手段とを有することを特徴とするくじ付き葉書作成システム。
【請求項４】
前記第２の記憶手段に記憶された当選番号に相当する抽選番号に対応した前記連絡先に、当選したことを示す情報を通知する当選情報通知手段を有することを特徴とする請求項３に記載のくじ付き葉書作成システム。
【発明の詳細な説明】
【技術分野】
【０００１】
この発明は、くじの抽選番号を葉書に記録するくじ付き葉書作成システムに関する。
【背景技術】
【０００２】
従来、くじの抽選番号を葉書に記録した年賀葉書等があり、このようなくじ付き葉書は予め公的機関が作成し、ユーザは公的機関が作成したくじ付き葉書を郵便局で購入していた。予め有価証券情報が付加された切手シートでは、ユーザが自分の望む画像を郵便切手に印刷することができるシステムが提案されているが（例えば特許文献１）、くじ付き葉書はユーザが自分で作成するシステムは提案されていない。
【特許文献１】特開平１１−１８４３８０号公報
【発明の開示】
【発明が解決しようとする課題】
【０００３】
ところで、ユーザがくじ付き葉書を作成し、このくじ付き葉書に記載されたくじの抽選番号で当選を決めるようにする場合には、当選したくじの抽選番号の公示の方法がないために利用できなかった。
【０００４】
この発明は、かかる点に鑑みてなされたもので、ユーザがくじ付き葉書を作成して利用可能なくじ付き葉書作成システムを提供することを目的としている。
【課題を解決するための手段】
【０００５】
前記課題を解決し、かつ目的を達成するために、この発明は、以下のように構成した。
【０００６】
請求項１に記載の発明は、くじの抽選番号の第１の記憶手段と、
前記くじの抽選番号を葉書に記録する記録手段と、
を有するくじ付き葉書作成システムであり、
葉書作成者の連絡先を入力する連絡先入力手段と、
前記連絡先入力手段により入力された連絡先と、前記葉書作成者用の葉書に対応したくじの抽選番号と、を対応づけて記憶する第２の記憶手段とを有することを特徴とするくじ付き葉書作成システムである。
【０００７】
請求項２に記載の発明は、前記第２の記憶手段に記憶された当選番号に相当する抽選番号に対応した前記連絡先に、当選したことを示す情報を通知する当選情報通知手段を有することを特徴とする請求項１に記載のくじ付き葉書作成システムである。
【０００８】
請求項３に記載の発明は、くじの抽選番号の第１の記憶手段と、
前記くじの抽選番号を葉書に記録する記録手段と、
を有するくじ付き葉書作成システムであり、
葉書の被送付者の連絡先を入力する連絡先入力手段と、
前記連絡先入力手段により入力された連絡先と、前記葉書作成者用の葉書に対応したくじの抽選番号と、を対応づけて記憶する第２の記憶手段とを有することを特徴とするくじ付き葉書作成システムである。
【０００９】
請求項４に記載の発明は、前記第２の記憶手段に記憶された当選番号に相当する抽選番号に対応した前記連絡先に、当選したことを示す情報を通知する当選情報通知手段を有することを特徴とする請求項３に記載のくじ付き葉書作成システムである。
【発明の効果】
【００１０】
前記構成により、この発明は、以下のような効果を有する。
【００１１】
請求項１に記載の発明では、葉書作成者の連絡先と、葉書作成者用の葉書に対応したくじの抽選番号と、を対応づけて記憶することで、当選番号に相当するくじの抽選番号の連絡先がわかり、ユーザがくじ付き葉書を作成して利用することができる。
【００１２】
請求項２に記載の発明では、当選番号に相当する抽選番号に対応した葉書作成者の連絡先に、当選したことを示す情報を通知することで、ユーザがくじ付き葉書を作成して利用することができる。
【００１３】
請求項３に記載の発明では、葉書の被送付者の連絡先と、葉書作成者用の葉書に対応したくじの抽選番号と、を対応づけて記憶することで、当選番号に相当するくじの抽選番号の連絡先がわかり、ユーザがくじ付き葉書を作成して利用することができる。
【００１４】
請求項４に記載の発明では、当選番号に相当する抽選番号に対応した葉書の被送付者の連絡先に、当選したことを示す情報を通知することで、ユーザがくじ付き葉書を作成して利用することができる。
【発明を実施するための最良の形態】
【００１５】
以下、この発明の郵便切手の発行システムの実施の形態について説明するが、この発明は、この実施の形態に限定されない。また、この発明の実施の形態は、発明の最も好ましい形態を示すものであり、この発明の用語はこれに限定されない。
【００１６】
図１はくじ付き葉書作成システムの外観を示す斜視図である。この実施の形態のくじ付き葉書作成システムは、システム本体１の前面側に、メディア装填口２、タッチパネル３、料金投入口４及び発行くじ付き葉書取出口５が設けられている。料金投入口４から紙幣や硬貨で所定の金額を投入する。メディア装填口２には、記録媒体のメディア６をセットする。このメディア６には、デジタルカメラ、あるいは携帯電話のカメラで撮影された画像を記憶したメモリカード、あるいは、写真プリント等がある。
【００１７】
タッチパネル３には、入力キー部３ａと表示部３ｂが設けられ、入力キー部３ａからの操作で表示部３ｂに画像の表示を行ない、くじの抽選番号７ａと、画像を郵便切手７ｂに印刷してくじ付き葉書７を発行する。このくじ付き葉書７は、発行くじ付き葉書取出口５から取り出される。
【００１８】
図２はくじ付き葉書作成システムの概略構成図、図３は連絡先とくじの抽選番号とを対応づけて記憶する実施の形態を示す図、図４はくじ付き葉書を示す図である。
【００１９】
この実施の形態のくじ付き葉書作成システムは、図１のシステム本体１の内部に備えられ、ＣＰＵ１０、主記憶部１１、補助記憶部１２、画像データ入力部１３、連絡先入力部１４、情報外部通知部１５、プリンタ１６及びコインメック１７を有する。
【００２０】
ＣＰＵ１０は、主記憶部１１、補助記憶部１２、画像データ入力部１３、連絡先入力部１４、情報外部通知部１５、プリンタ１６及びコインメック１７の制御を行なう。補助記憶部１２には、システムの動作プログラムが記憶され、また、くじ付き葉書の発行に関する所轄の官公庁によりその発行が許可されているデータが記億されている。さらに、補助記憶部１２には、入力された画像データから郵便切手を発行するために必要なデータが記憶されている。
【００２１】
画像データ入力部１３は、メディア装填口２にセットされるメディア６に記憶された画像データを入力する。この画像データ入力部１３から入力された画像データは、タッチパネル３の表示部３ｂに表示される。
【００２２】
画像データ入力部１３は、くじ付き葉書の所定領域に郵便切手を印刷するための画像を入力するもので、例えばデジタルカメラで撮影した画像をメモリカードに格納し、このメモリカードを画像データ入力部１３に接続することにより画像を入力するが、画像データ入力部１３の形態は任意であり、例えばメモリカードを接続するためのメモリカードインターフェースとして機能してもよく、あるいは、デジタルカメラからの信号を直接（メモリカードを介さずに）入力するためのインターフェースとして機能してもよい。また、写真プリント等の画像を読み取るスキャナからの信号を入力するインターフェースとしてもよい。
【００２３】
連絡先入力部１４は、葉書作成者の連絡先を入力する連絡先入力手段を構成し、タッチパネル３の入力キー部３ａの操作によって葉書作成者の連絡先を入力する。
【００２４】
また、補助記憶部１２は、第１の記憶手段１２ａと第２の記憶手段１２ｂとを有する。第１の記憶手段１２ａには、予めくじの抽選番号が記憶されている。第２の記憶手段１２ｂには、図３に示すように、連絡先入力部１４により入力された葉書作成者の連絡先と、葉書作成者用の葉書に対応したくじの抽選番号とを対応づけて記憶する。この実施の形態では、ユーザである葉書作成者が葉書を発行する際にタッチパネル３の入力キー部３ａの操作によって入力される氏名、住所、電話番号等（これらに限定されない）がくじの抽選番号とを対応づけて記憶される。
【００２５】
情報外部通知部１５は、当選情報通知手段を構成し、第２の記憶手段１２ｂに記憶された当選番号に相当する抽選番号に対応した葉書作成者の連絡先に、当選したことを示す情報を通知する。この当選したことを示す情報の通知は、ユーザである葉書作成者の図３に示すように、住所に郵送、あるいは電話番号に電話、あるいはファクシミリ、Ｅ−メール等によって行なう。
【００２６】
ＣＰＵ１０と主記憶部１１とでシステムの動作プログラムが実行され、また、画像データ入力部１３により入力された画像データと補助記憶部１２に記憶されている所轄官公庁によりその発行が許可されているデータとに基づいて、記録手段を構成するプリンタ１６により画像データが記録された郵便切手７ｂを作成し、図４に示すように、くじの抽選番号７ａと、画像を郵便切手７ｂに印刷してくじ付き葉書７を発行する。
【００２７】
このくじ付き葉書７には、くじの抽選番号７ａ、郵便切手７ｂの他に、宛て先の住所７ｃ、氏名７ｄ、郵便番号７ｅ、さらに差出人の住所７ｆ、氏名７ｇ、郵便番号７ｈ等が記録され、印刷方法は、任意の方法を用いることができ、例えば、昇華型を用いることが可能である。
【００２８】
図５はくじ付き葉書作成システムのくじ付き葉書作成フローを示す図である。この実施の形態のくじ付き葉書作成システムでは、ステップｓ１において、入金されたか否かの判断を行ない、コインメック１７により入金されると、タッチパネル３の表示部３ｂには、連絡先入力のナビゲーションが表示される（ステップｓ２）。
【００２９】
このナビゲーション表示に基づいてタッチパネル３の入力キー部３ａの操作によって宛て先の住所７ｃ、氏名７ｄ、郵便番号７ｅ（葉書作成者の連絡先に関する情報）、さらに差出人の住所７ｆ、氏名７ｇ、郵便番号７ｈ（葉書の被送付者の連絡先に関する情報）等を入力し（ステップｓ３）、さらに画像データ入力部１３から画像データを入力する。
【００３０】
ユーザである葉書作成者が葉書を発行する際にタッチパネル３の入力キー部３ａの操作によって入力される氏名、住所、電話番号等がくじの抽選番号とを対応づけて記憶される。そして、図４に示すように、くじの抽選番号７ａ、郵便切手７ｂの他に、宛て先の住所７ｃ、氏名７ｄ、郵便番号７ｅ、さらに差出人の住所７ｆ、氏名７ｇ、郵便番号７ｈ等が記録されたくじ付き葉書７がプリントされる（ステップｓ４）。
【００３１】
図６はくじ付き葉書作成システムの当選フローを示す図である。この実施の形態のくじ付き葉書作成システムでは、ステップｓ１１において、外部から当選番号の入力が行なわれると、記憶された当選番号に相当する抽選番号に対応した連絡先を検索し（ステップｓ１２）、当選したことを示す情報を通知する（ステップｓ１３）。
【００３２】
このように、葉書作成者の連絡先と、葉書作成者用の葉書に対応したくじの抽選番号と、を対応づけて記憶することで、当選番号に相当するくじの抽選番号の連絡先がわかる。そして、当選番号に相当する抽選番号に対応した葉書作成者の連絡先に、当選したことを示す情報を通知することで、ユーザは自身が作成したくじ付き葉書の中に、当選葉書があることを知ることができる。
【００３３】
また、他の実施の形態のくじ付き葉書作成システムでは、連絡先入力手段である連絡先入力部１４が葉書の被送付者の連絡先を入力する。この連絡先入力手段である連絡先入力部１４により入力された葉書の被送付者の連絡先連絡先と、葉書作成者用の葉書に対応したくじの抽選番号とを、対応づけて記憶する。
【００３４】
この実施の形態では、図７に示すように、ユーザである葉書作成者が葉書を発行する際にタッチパネル３の入力キー部３ａの操作によって入力される宛て先の住所７ｃ、氏名７ｄ、郵便番号７ｅがくじの抽選番号とを対応づけて記憶される。
【００３５】
この実施の形態のくじ付き葉書作成システムでは、外部から当選番号の入力が行なわれると、記憶された当選番号に相当する抽選番号に対応した連絡先を検索し、情報外部通知部１５は葉書の被送付者の連絡先に、当選したことを示す情報を通知する。
【００３６】
このように、葉書の被送付者の連絡先と、葉書作成者用の葉書に対応したくじの抽選番号と、を対応づけて記憶することで、当選番号に相当するくじの抽選番号の連絡先がわかる。そして、当選番号に相当する抽選番号に対応した葉書の被送付者の連絡先に、当選したことを示す情報を通知することで、くじ付き葉書を送付された者が、送付された葉書が当選葉書であることを知ることができる。
【００３７】
なお、この実施の形態では、画像データ入力部１３を備え、メディア装填口２にセットされるメディア６に記憶された画像データを入力してくじ付き葉書の所定領域に郵便切手を印刷するための画像を入力し、ユーザが画像を郵便切手７ｂに印刷してくじ付き葉書７を発行しているが、画像を郵便切手７ｂに印刷しないでくじ付き葉書７を発行してもよい。この場合、例えば、郵便切手の部分は公的機関の切手を貼るようにする。
【００３８】
また、この実施の形態では、当選番号に相当する抽選番号が企業が主催するキャンペーン等に当選した際には、葉書の被送付者の連絡先に、例えばキャンペーン商品が届くようにしても良い。
【産業上の利用可能性】
【００３９】
このくじ付き葉書作成システムは、くじの抽選番号を葉書に記録するくじ付き葉書を作成するシステムに適用できる。
【図面の簡単な説明】
【００４０】
【図１】くじ付き葉書作成システムの外観を示す斜視図である。
【図２】くじ付き葉書作成システムの概略構成図である。
【図３】連絡先とくじの抽選番号とを対応づけて記憶する実施の形態を示す図である。
【図４】くじ付き葉書を示す図である。
【図５】くじ付き葉書作成システムのくじ付き葉書作成フローを示す図である。
【図６】くじ付き葉書作成システムの当選フローを示す図である。
【図７】連絡先とくじの抽選番号とを対応づけて記憶する実施の形態を示す図である。
【符号の説明】
【００４１】
１  システム本体
２  メディア装填口
３  タッチパネル
３ａ  入力キー部
３ｂ  表示部
４  料金投入口
５  発行くじ付き葉書取出口
６  メディア
７  くじ付き葉書
１０  ＣＰＵ
１１  主記憶部
１２  補助記憶部
１３  画像データ入力部
１４  連絡先入力部
１５  情報外部通知部
１６  プリンタ
１７  コインメック
【図１】
2005186548.tif 000003
【図２】
2005186548.tif 000004
【図３】
2005186548.tif 000005
【図４】
2005186548.tif 000006
【図５】
2005186548.tif 000007
【図６】
2005186548.tif 000008
【図７】
2005186548.tif 000009